(57)【要約】【課題】瓦固定釘を挿通させる釘孔を、既存の桟瓦とは異なる、特定位置を選んで設けることにより、釘打による瓦の固定効果を、従来技術に比べて格段に向上させ、又、従来の釘打用の補助桟木を、瓦桟と併用する大きな無駄を省ける様にした桟瓦を提供する。【解決手段】瓦固定釘を挿通させる釘孔の位置を、桟瓦の葺き重ね箇所に於いて、上層側の桟瓦に設けた釘孔が、下層側の隣接する桟瓦同士の突き合わせ箇所に生じた当接間隙の、直上に位置する様に設定したことを特徴とする。前記当接間隙は、隣接する桟瓦の夫々の隅角部に設けられた切欠同士の噛合箇所に生じた間隙であることも特徴とする。又、前記釘孔の周縁部に、釘孔に雨水が流入するのを防ぎ、且つ、孔縁部を補強する為の円環状突起を設けるとよい。【選択図】　　　図２
2004052344.tif 000002
【特許請求の範囲】
【請求項１】
瓦固定釘を挿通させる釘孔の位置を、桟瓦の葺き重ね箇所に於いて、上層側の桟瓦に設けた釘孔が、下層側の隣接する桟瓦同士の突き合わせ箇所に生じた当接間隙の、直上に位置する様に設定したことを特徴とする桟瓦。
【請求項２】
前記当接間隙は、隣接する桟瓦の夫々の隅角部に設けられた切欠同士の噛合箇所に生じた間隙であることを特徴とする請求項１記載の桟瓦。
【請求項３】
前記釘孔の周縁部に、釘孔に雨水が流入するのを防ぎ、且つ、孔縁部を補強する為の円環状突起を設けたことを特徴とする請求項１記載の桟瓦。
【発明の詳細な説明】
【０００１】
【発明の属する技術分野】
本発明は、瓦固定釘を挿通させる為の釘孔を設けたものに於いて、この釘孔の位置を、従来の瓦とは異なる特定箇所に設定することによって、釘打効果を格段に向上させると共に、従来の桟瓦では必要とした、釘打用の補助桟木を不要化し、更には、傷んだ瓦の取替作業を容易・迅速に行える様に改良した桟瓦に関する。
【０００２】
【従来の技術】
従来の桟瓦には、釘孔の位置が異なる、少なくとも２つの種類があった。
その内の１つは、図５に示した様に、横方向に波打形状を備えた（図１参照）桟瓦５０の、上縁側の谷部に釘孔を設けて置き、瓦固定釘５１を、この釘孔を通して瓦桟７０に打ち付ける様にした、第１のタイプである。図中の５２は野路板、５３はルーフィングである。
今１つは、図４に示した様に、桟瓦６０の山部ｂの尾根方向の中間箇所に釘孔を設けた、第２のタイプである。
【０００３】
【発明が解決しようとする課題】
上記の第１のタイプの桟瓦５０は、大型台風や大規模地震等に遭遇しない限りは、瓦が剥落したり、ズレ動く恐れは殆ど無い。
然し、桟瓦５０は、その上縁側の１箇所を、瓦桟７０に釘打固定されているだけである。
その為、異常に強い風が、屋根の軒先から棟に向けて吹き上がって来た場合等には、例えて言えば、“魚の鱗”を刃物で剥がす時の様に、容易に剥落してしまう恐れが多分にあった。
又、異常に強い横方向の振動を受けると、例えて言えば、“振り子”の様に左右にズレ動く恐れが多分にあった。
現に、過去の大型台風や、極く最近の大震災の発生時には、この様な瓦の剥落や、ズレ動きによる大きな被害を被っている。
【０００４】
一方、上記の第２のタイプの桟瓦６０は、その上下両縁間の中間箇所を、周知の瓦固定釘５１によって固定されている。
その為、異常に大きい台風や地震に遭遇しても、瓦が風圧で吹き上げられたり、強い振動を受けてズレ動いたりする恐れは、第１のタイプに比べて遙かに少なくなる。
【０００５】
ところが、釘孔の位置が、図４に示した様に、瓦桟７０の取付位置から離れている。
そこで、瓦固定釘５１を、薄い野路板５２に直接打ち付けてしまったのでは、当然、桟瓦６０の固定強度が著しく低下してしまう。
その為、桟瓦６０を掛止させる瓦桟７０の他に、瓦固定釘５１を打ち付ける為の、補助桟木８０を、野路板５２に余分に取付けることを余儀なくされてしまう。
【０００６】
そこで、本発明の目的は、瓦固定釘を挿通させる釘孔の位置を、既存の上記２つのタイプの桟瓦とは異なる、第３の特定位置を選んで設けることにより、釘打ちによる瓦の固定効果を、上記２つのタイプの桟瓦に比べて格段に高められ、又、上記第２のタイプでは必要とした補助桟木を使わなくて済む様にした桟瓦を提供するにある。
【０００７】
【課題を解決するための手段】
上記の目的を達成する為の、本発明よる桟瓦は、
瓦固定釘を挿通させる釘孔の位置を、桟瓦の葺き重ね箇所に於いて、上層側の桟瓦に設けた釘孔が、下層側の隣接する桟瓦同士の突き合わせ箇所に生じた当接間隙の、直上に位置する様に設定したことを特徴とする。
前記当接間隙は、隣接する桟瓦の夫々の隅角部に設けられた切欠同士の噛合箇所に生じた間隙であることも特徴とする。
そして、前記釘孔の周縁部には、釘孔に雨水が流入するのを防ぎ、且つ、孔縁部を補強する為の円環状突起を設けるとよい。
【０００８】
【発明の実施の形態】
以下に、本発明の一実施例に就いて、図１〜図３を参照しながら説明する。
図１は、この実施例の桟瓦Ａの斜視図、及びその部分縦断面図である。
桟瓦Ａは、瓦固定釘４の挿通用の釘孔１の位置を、その横幅方向に波打形状を備えた桟瓦Ａの、山部ｂの下端縁に近い特定位置に設定している。
【０００９】
本願発明で言う“桟瓦”の中には、当業界で、“地瓦”、や“並”等と呼ばれているものも含まれる。
瓦固定釘４としては、ステンレス製でパッキン付きの瓦固定釘や、パッキン付きのステンレス製ビス（スクリュー釘）等の桟瓦用の釘を使用する。
【００１０】
桟瓦Ａには、その左上隅と、右下隅との２箇所に、方形の切欠２を設けて、隣接する瓦同士を、この切欠２，２の箇所で互いに噛合させる様にしている。
更に、釘孔１の孔縁部を包囲する様にして、円環状突起３を設けて、釘孔１への雨水の流入を防いでいる。円環状突起３は、釘孔１の周縁部を補強する役割も果たしてくれる。
【００１１】
次に、釘孔１の、上記特定位置の設定の仕方に就いて、図２を参照しながら説明する。
図２は、隣接する４枚の桟瓦Ａ１〜Ａ４同士が、互いに葺き重ねられている状態を示した平面図である。尚、桟瓦Ａ４は、左下部分を切り欠いた状態で示している。
図中に符号ａを付して鎖線で示した部分は、桟瓦Ａの上縁部下面に下向きに突設した引掛部で、瓦桟Ｂに引っ掛けることにより（図５参照）、桟瓦Ａのズリ落ちが防がれる。
【００１２】
ここで、桟瓦Ａ群の葺き方に就いて、図２を参照しながら説明する。
先ず、桟瓦Ａ１を、その引掛部ａを瓦桟Ｂに引っ掛けた状態で、野路板５２の上に載置する（図５参照）。
続いて、その右隣に、桟瓦Ａ２を、その左端側の山部ｂが、桟瓦Ａ１の右端部の上にオーバーラップした状態で載置する。図中の符号ｃは、このオーバーラップ部分を示している。
尚、図示は省いたが、桟瓦Ａ１，Ａ２の下側には、軒瓦が夫々葺かれる。
【００１３】
次に、桟瓦Ａ１の上側に、桟瓦Ａ３を、夫々の上端部と下端部とを所定幅だけオーバーラップさせた状態で載置する。
図２に示した様に、この載置を終えた段階で、桟瓦Ａ３の右下隅の切欠２と、桟瓦Ａ２の左上隅の切欠２とは、夫々の側端面同士が突き合わされて、互いに噛み合った状態になる。
【００１４】
ところで、桟瓦Ａは、その素材の特性と、製造方法からして、製品の寸法精度は差程高くはない。又、桟瓦Ａの葺上作業時にも、高い施工精度を期待することは出来ない。
その為、図２に示した様に、切欠２，２同士を突き合せた箇所には、数ミリメートル前後の当接間隙ｇが生ずる。
このほぼＺ字形をしたこの当接間隙ｇの部分には、図２から理解される様に、桟瓦Ａ４の左下隅の部分が覆い被せられることになる。
【００１５】
この様な、桟瓦Ａの葺き重ね構造に着目して成されたのが、本願発明である。その要点とするところは、桟瓦Ａを、瓦固定釘４によって瓦桟Ｂに釘打ち固定させる為に、桟瓦Ａに設けるべき釘孔１の位置を、冒頭に記した従来の桟瓦とは異なる、特定位置に設定したところにある。
【００１６】
即ち、図２に例を採って説明すれば、葺き重ねられた桟瓦Ａ群の、下層側の隣接する２枚の桟瓦Ａ１，Ａ２の、夫々の切欠２，２同士の噛合箇所に生じた当接間隙ｇの上に、上層側の桟瓦Ａ３が覆い被さった状態で、この上層側の桟瓦Ａ３と、下層側の桟瓦Ａ２との当接間隙ｇの直上箇所を、上記の特定位置としたのである。
勿論、この特定位置は、桟瓦Ａ３だけに限られず、総ての桟瓦Ａに共通している。
【００１７】
そして、野路板５２への瓦桟Ｂの打付位置は、図２に示した様に、横列状に葺き重ねられている桟瓦Ａ群の、夫々の釘孔１の直下位置としている。
【００１８】
次に、桟瓦Ａに設けるべき釘孔１の位置を、上記の如く特定したことの効果に就いて、図２及び図３を参照しながら説明する。
屋根の野路板５２の上に桟瓦Ａ群を葺き終えた状態の部分図としての、図２に於いて、桟瓦Ａ１に着目して見ると、この桟瓦Ａ１は、その左下隅の部分を、この瓦自体に設けた釘孔１を通して瓦桟Ｂに打ち込んだ瓦固定釘４によって、強固に固定されている。
【００１９】
そして、桟瓦Ａ１の右下隅の部分は、この部分に覆い被さっている桟瓦Ａ２の、左下隅の釘孔１を通して瓦桟Ｂに打ち込んだ瓦固定釘４によって、同じく、強固に固定されている。
【００２０】
更に、桟瓦Ａ１の左上隅及び右上隅の部分は、夫々の部分に覆い被さっている桟瓦Ａ３及び桟瓦Ａ４の、夫々の左下隅の釘孔１を通して瓦桟Ｂに打ち込んだ瓦固定釘４によって、夫々強固に固定されている。
【００２１】
つまり、桟瓦Ａ１は、その四隅箇所のすべてが、瓦桟Ｂに夫々打ち込まれた計４本の瓦固定釘４によって、強固に固定された状態にある。
勿論、この様な状態は、他の３枚の桟瓦Ａ２〜Ａ４、更には、屋根に葺かれた総ての桟瓦Ａに就いても同様である。
【００２２】
従って、若し、超大型の台風に襲われても、桟瓦Ａが吹き飛ばされる恐れは、ほぼ皆無になる。
又、大規模地震が発生しても、建物が倒壊してしまわない限りは、桟瓦Ａ群がズレ動いたり、落下してくる可能性はほぼ完全に無くなる。
【００２３】
然も、図４に示した従来の桟瓦６０とは異なって、瓦桟Ｂの他に、瓦固定釘５１の打付用の補助桟木８０を、別個に、野路板５２に取付けるという、極めて不経済、且つ、非能率な作業は、図２から理解される様に、全く不要になる。
【００２４】
更に、桟瓦Ａには、施工上及び補修作業上での、優れた特長も備えている。
即ち、桟瓦Ａ同士の葺き重ね箇所に於いて、上層側の瓦の釘孔に挿し込んだ瓦固定釘４は、下層側の瓦を貫通させることなく、下層側の瓦同士の突き合わせ箇所に生じている当接間隙ｇを通して、瓦桟Ｂに打ち込んでいる。
【００２５】
その為、桟瓦Ａの葺き工事中や施工後に、一部の桟瓦Ａが破損した時には、この破損瓦を押さえ付けいる瓦固定釘４を、一旦、抜き取るだけで、傷んだ瓦を補修用の瓦に至極簡単に差し替えることが出来る。
【００２６】
【発明の効果】
以上の説明によって明らかな様に、本発明による桟瓦は、従来の同種品に比べて、以下に列挙した如き実用上の格段に優れた効果を発揮する。
（ａ）　屋根に葺かれた総ての桟瓦の、夫々の四隅部分を、個々の瓦桟の１箇所に打ち込んだ瓦固定釘によって強固に固定させられる。
（ｂ）　その為、超大型台風や大規模地震に遭遇しても、建物が倒壊しない限りは、瓦が風圧で吹き飛ばされたり、振動でズレ動く恐れが殆ど皆無になる。
（ｃ）　然も、個々の桟瓦に設ける釘孔は、唯１箇所だけで足りる。
（ｄ）　そして、従来品の様に、瓦固定釘の打付用の補助桟木を、瓦のズレ止用の瓦桟と併用するという、大きな無駄を省ける。
（ｅ）　釘孔の周縁部に、環状突起を設けることによって、釘孔への雨水の侵入を防げ、且つ、釘孔の孔縁部を補強出来る。
（ｆ）　瓦固定釘による、瓦の特異な固定方法からして、葺き工事中や施工後に破損した桟瓦を、至極簡単に新品に差し替えることが出来る。
【図面の簡単な説明】
【図１】本発明の一実施例を示すもので、桟瓦の斜視図、及びそのｙ−ｙ線に沿う部分縦断面図である。
【図２】同上、４枚の桟瓦を葺き重ねた状態を示す、部分破断平面図である。
【図３】同上、瓦桟に、瓦固定釘を、桟瓦を通して打ち付けた状態を示す部分斜視図である。
【図４】従来例を示すもので、補助桟木を、瓦桟と併用した場合の、図３図相当図である。
【図５】別の従来例を示すもので、桟瓦葺きの屋根の部分縦断面図である。
【符号の説明】
Ａ１〜Ａ４（Ａ）　桟瓦
Ｂ　瓦桟
１　釘孔
２　切欠
３　環状突起
４　瓦固定釘
ａ　引掛部
ｂ　山部
ｃ　オーバーラップ部分
ｇ　当接間隙
５０，６０　従来の桟瓦
５１　瓦固定釘
５２　野路板
５３　ルーフィング
７０　瓦桟
８０　補助桟木
【図１】
2004052344.tif 000003
【図２】
2004052344.tif 000004
【図３】
2004052344.tif 000005
【図４】
2004052344.tif 000006
【図５】
2004052344.tif 000007